(57)【要約】【課題】２重ジャンパ線の検証を自動的に行う。【解決手段】発ＩＤおよび非制限ディジタル情報要素を含むレイヤ３プロトコルのフォーマットを有し、加入者側被試験回線Ｌ１と自検証システム２との通信路を設定するための呼設定信号を加入者側被試験回線Ｌ１を着信先として旧交換機１５に送信する信号送信回路４０と、新交換機２７の所定端子２１ａ、２１ｂに接続された引き込み用回線３３を有し、旧交換機１５から被試験回線Ｌ１、Ｌ２に対して発信され、第１のジャンパ線１２ａ、１２ｂおよび第２のジャンパ線２０ａ、２０ｂを介して新交換機２７の所定端子２１ａ、２１ｂへ送出されてきた呼設定信号を、引き込み用回線３３を介して引き込み、引き込んだ呼設定信号を検出する接続切替器３４と、検出された呼設定信号に基づいて２重ジャンパ線｛第１のジャンパ線１２ａ、１２ｂおよび第２のジャンパ線２０ａ、２０ｂ｝の検証を行うレイヤ３情報検出・判定回路４２と、を備えた２重ジャンパ線検証システム１。【選択図】　　　図１
2004080115.tif 000002
【特許請求の範囲】
【請求項１】
一端が旧交換機に接続され、他端が被試験回線に接続された第１のジャンパ線と、一端が新交換機の所定端子に接続され、他端が前記被試験回線に接続された第２のジャンパ線とから構成された２重ジャンパ線の検証試験を行う２重ジャンパ線検証システムであって、
検証試験用識別情報および非制限ディジタル情報要素を含むレイヤ３プロトコルのフォーマットを有し、前記加入者側被試験回線に対する通信路を設定するための呼設定信号を当該被試験回線を着信先として前記旧交換機に送信する送信手段と、
前記新交換機の所定端子に接続された引き込み用回線を有し、前記旧交換機から前記被試験回線に対して発信され、前記第１および第２のジャンパ線を介して前記新交換機の所定端子へ送出されてきた前記呼設定信号を、前記引き込み用回線を介して引き込み、引き込んだ呼設定信号を検出する呼設定信号検出手段と、
検出された呼設定信号に基づいて前記２重ジャンパ線の検証を行う検証手段と、
を備えたことを特徴とする２重ジャンパ線検証システム。
【請求項２】
前記検証手段は、前記検出された呼設定信号に前記検証用識別情報が含まれているか否か判断する判断手段を備え、この判断手段の判断結果に基づいて前記２重ジャンパ線の検証を行う手段であることを特徴とする請求項１記載の２重ジャンパ線検証システム。
【請求項３】
前記検証用識別情報は、自検証システム自体を前記呼設定信号の発信元として特定するための発信元識別情報であることを特徴とする請求項２記載の２重ジャンパ線検証システム。
【請求項４】
前記検証用識別情報は、前記着信先を特定するための着信先電話番号と、この着信先電話番号に付加された前記検証試験用の任意のサブアドレスとを含むことを特徴とする請求項２記載の２重ジャンパ線検証システム。
【請求項５】
前記加入者側被試験回線はＩＳＤＮ回線であり、当該加入者側被試験回線には、非制限ディジタル要素を含む呼設定信号の着信機能が不搭載の第１の通信機器および当該非制限ディジタル要素を含む呼設定信号の着信機能が搭載された第２の通信機器の内の少なくとも一方が接続されており、
前記第１および第２の通信機器の内の少なくとも一方から返信されてきた、前記呼設定信号に対応する信号を受信し、受信した信号に基づいて前記加入者側被試験回線に対する着信の成否を判断する手段をさらに備えたことを特徴とする請求項１乃至４の内の何れか１項記載の２重ジャンパ線検証システム。
【請求項６】
前記引き込み用回線を介して引き込んだ前記新交換機の所定端子のレイヤ１状態を監視する監視手段を備えたことを特徴とする請求項１乃至５の内の何れか１項記載の２重ジャンパ線検証システム。
【請求項７】
一端が旧交換機に接続され、他端が被試験回線に接続された第１のジャンパ線と、一端が新交換機の所定端子に接続され、他端が前記被試験回線に接続された第２のジャンパ線とから構成された２重ジャンパ線の検証試験を行う２重ジャンパ線検証システムであって、
検証試験用識別情報および非制限ディジタル情報要素を含むレイヤ３プロトコルのフォーマットを有し、前記被試験回線に対する通信路を設定するための呼設定信号を、当該被試験回線を着信先として前記旧交換機に送信するステップと、
前記新交換機の所定端子に接続された引き込み用回線を用意するステップと、
前記旧交換機から前記被試験回線に対して発信され、前記第１のジャンパ線および第２のジャンパ線を介して前記新交換機の所定端子へ送出されてきた前記呼設定信号を、前記用意された引き込み用回線を介して引き込み、引き込んだ呼設定信号を検出するステップと、
検出された呼設定信号に基づいて前記２重ジャンパ線の検証を行うステップと、
を備えたことを特徴とする２重ジャンパ線検証方法。
【請求項８】
前記検証ステップは、前記検出された呼設定信号に前記検証用識別情報が含まれているか否か判断する判断ステップを備え、この判断ステップの判断結果に基づいて前記第１および第２のジャンパ線の検証を行うステップであることを特徴とする請求項７記載の２重ジャンパ線検証方法。
【請求項９】
前記検証用識別情報は、前記呼設定信号の発信元を特定するための発信元識別情報であることを特徴とする請求項８記載の２重ジャンパ線検証方法。
【請求項１０】
前記検証用識別情報は、前記着信先を特定するための着信先電話番号と、この着信先電話番号に付加された前記検証試験用の任意のサブアドレスとを含むことを特徴とする請求項９記載の２重ジャンパ線検証方法。
【請求項１１】
前記加入者側被試験回線はＩＳＤＮ回線であり、当該加入者側被試験回線には、非制限ディジタル要素を含む呼設定信号の着信機能が不搭載の第１の通信機器および当該非制限ディジタル要素を含む呼設定信号の着信機能が搭載された第２の通信機器の内の少なくとも一方が接続されており、
前記第１および第２の通信機器の内の少なくとも一方から返信されてきた、前記呼設定信号に対応する信号を受信し、受信した信号に基づいて前記加入者側被試験回線に対する着信の成否を判断するステップをさらに備えたことを特徴とする請求項７乃至１０の内の何れか１項記載の２重ジャンパ線検証方法。
【請求項１２】
前記引き込み用回線を介して引き込んだ前記新交換機の所定端子のレイヤ１状態を監視するステップを備えたことを特徴とする請求項７乃至１１の内の何れか１項記載の２重ジャンパ線検証方法。
【発明の詳細な説明】
【０００１】
【発明の属する技術分野】
本発明は、顧客（加入者）側のＩＳＤＮ回線等の通信回線に第１のジャンパ線を介して接続された旧交換機を新しい交換機（新交換機）に切り替える工事（交換機巻取り工事）において、上記第１のジャンパ線と２重にして第２のジャンパ線を新交換機と加入者側通信回線との間に接続した際に、その２重ジャンパ線の検証試験を行うための２重ジャンパ線検証方法およびシステムに関する。
【０００２】
【従来の技術】
加入者側の通信回線であるＩＳＤＮ回線に第１のジャンパ線を介して接続された旧ＩＳＤＮ交換機を新ＩＳＤＮ交換機に切り替える工事（ＩＳＤＮ交換機巻き取り工事）では、加入者側ＩＳＤＮ回線が切替時において長時間“断”の状態になることを避けるために、旧交換機側の第１のジャンパ線を残した状態で、その第１のジャンパ線と２重になる第２のジャンパ線を用いて加入者側ＩＳＤＮ回線と新交換機とを接続することにより、旧交換機から新交換機に対する迅速な切替を可能にしている。
【０００３】
すなわち、ＩＳＤＮ交換機巻き取り工事においては、図７に示すように、新交換機４８側のＭＤＦ（Ｍａｉｎ　Ｄｉｓｔｒｉｂｕｔｉｏｎ　Ｆｒａｍｅ：主配線盤）５０における架枠Ｗ１に支持された新交換機側ＭＤＦ端子盤５１のＡＲＲ（避雷器）５３に切断片５３ａを挿入して、その加入者側回線Ｌ１、Ｌ２と新交換機４８側の回線Ｌ１、Ｌ２とを回路的に切断する。
【０００４】
一方、加入者側ＭＤＦ端子盤５４の端子５５ａ、５５ｂと、架枠Ｗ１に支持された旧交換機５６側のＭＤＦ端子盤５７の対応する端子５８ａ、５８ｂとの間は既設の第１の一対のジャンパ線６０ａ、６０ｂにより接続されている。
【０００５】
このとき、検証作業者は、架枠Ｗ２に支持された、一対の加入者側回線Ｌ１、Ｌ２を収容する加入者側端子盤５４における加入者側回線Ｌ１、Ｌ２に接続された端子５５ａ、５５ｂと新交換機４８側のＭＤＦ端子盤５１の対応する加入者側回線Ｌ１用の端子５２ａ、加入者側回線Ｌ２用の５２ｂとの間を、第１のジャンパ線６０ａ、６０ｂに対して２重となる第２の一対のジャンパ線６１ａ、６１ｂによりそれぞれ接続する。
【０００６】
なお、図７では、説明を容易にするため、加入者側回線を１回線としたが、複数回線ある場合には、それぞれの回線毎に第２のジャンパ線を接続する。
【０００７】
続いて、接続した２重ジャンパ線の検証試験、すなわち、第２のジャンパ線６１ａ、６１ｂが正しく接続されているか｛第２のジャンパ線６１ａ、６１ｂの接続端子位置に間違いはないか、２重ジャンパ線（第１のジャンパ線６０ａ、６０ｂ、第２のジャンパ線６１ａ、６１ｂ）の導通が良好か否か、および加入者側回線Ｌ１、Ｌ２のレバース（入れ違い）は無いか否か等｝を、検証作業者が検証（確認）する。
【０００８】
ここで、加入者側回線Ｌ１、Ｌ２のレバースとは、図８に示すように、加入者側回線Ｌ１に接続された第２のジャンパ線６１ａを、加入者側回線Ｌ２線の端子５２ｂに接続し、加入者側回線Ｌ２線に接続された第２のジャンパ線６１ｂを、加入者側回線Ｌ１線の端子５２ａに接続してしまう場合である。
【０００９】
上述した第２のジャンパ線６１ａ、６１ｂが正確に接続されているか否かを検証するために、従来では、検証作業者は、旧交換機側ＭＤＦ端子盤５７の端子５８ａ、５８ｂと新交換機側ＭＤＦ端子盤５１の端子５２ａ、５２ｂとの間に導通ブザーチェッカを接続し、ＩＳＤＮ回線に影響を与えない程度の微弱な電流信号を端子間に流し、そのブザーチェッカの鳴動の有無により、全ての端子においてジャンパ線が２重に接続できているか否か｛上述した、ジャンパ線接続端子位置の間違いの有無、導通の良好性状態および上記Ｌ１線、Ｌ２線のリバース（入れ違い））の有無等｝について、一回線ずつ手動で確認していた。
【００１０】
そして、正常性確認終了後、コンデンサ付き切断片５３ａをＭＤＦ５０における旧交換機５６側の端子盤５７のＡＲＲ６５に挿入し、ＭＤＦ５０における新交換機４８側の端子盤５１のＡＲＲ５３に挿入されていたコンデンサ付き切断片５３ａを抜脱して、加入者側回線Ｌ１、Ｌ２と新交換機４８（新交換機側回線Ｌ１、Ｌ２）とを回路的に接続する。その後、上位交換局７０に対する切替を完了することにより、交換機巻き取り工事を完了することができる。なお、符号７１は、加入者側回線Ｌ１、Ｌ２に接続された通信機器である。
【００１１】
【発明が解決しようとする課題】
しかしながら、従来のＩＳＤＮ交換機巻き取り工事における２重ジャンパ線検証方法によれば、各加入者側回線に接続された各端子に対応する旧交換機側ＭＤＦ端子盤の端子と新交換機側ＭＤＦ端子盤の端子との間の導通チェックを各端子毎に個別に行わなければならず、検証時間が大幅に増大し、また、検証ミス発生の恐れも増大していた。
【００１２】
この点、加入者側回線がアナログ回線の場合には、アナログ回線用２重ジャンパ検証器が存在する。
【００１３】
すなわち、加入者側回線がアナログ回線の場合には、その加入者側回線へ供給される通常の信号が直流信号であるため、コンデンサ付き切断片により、新交換機および加入者側回線において、上記直流信号のみを不通にすることができる。
【００１４】
したがって、アナログ回線用２重ジャンパ検証器から被試験対象となる加入者側回線に対して約１６Ｈｚの交流信号を送信すれば、この交流信号は、新交換機側のコンデンサ付き切断片を通り、第１のジャンパ線、第２のジャンパ線および旧交換機を介して２重ジャンパ検証器に返信されてくる。したがって、２重ジャンパ検証器において、返信されてきた交流信号を確認することにより、第２のジャンパ線の検証を行うことができる。
【００１５】
しかしながら、ＩＳＤＮ交換機巻き取り工事においては、加入者側回線がＩＳＤＮ回線であるため、加入者側ＩＳＤＮ回線に対応するパルス列（交流成分）の通信信号（デジタル信号）をコンデンサ付き切断片で遮断することができず、さらに、上記通信信号に影響を与えない試験用交流信号を流すことが困難であり、アナログ回線用２重ジャンパ検証器をＩＳＤＮ回線用として用いることができなかった。
【００１６】
また、ＩＳＤＮ回線用電話等の通信機器においては、ＩＳＤＮ用交換機から送信された呼設定信号がＩＳＤＮ回線用通信機器において着信された後に、その通信機器においてベル鳴動用の交流信号（約１６Ｈｚの信号）を生成する構成である。
【００１７】
このため、２重ジャンパ線を介した着信試験としてＩＳＤＮ用交換機から呼設定信号をＩＳＤＮ回線用通信機器に対して発信した際に、その発信側ですぐに切断（ＤＩＳＣ信号送信）しても、ＩＳＤＮ回線用通信機器においては、数回ベルを鳴動させることになる。
【００１８】
したがって、例えば深夜のＩＳＤＮ交換機巻き取り工事においては、ＩＳＤＮ回線用通信機器を鳴動させることなく、そのＩＳＤＮ回線用通信機器に対する着信試験を実行できる２重ジャンパ検証方法を求める要望が高まっていた。
【００１９】
本発明は上述した事情に鑑みてなされたもので、ＩＳＤＮ交換機巻き取り工事における２重ジャンパ線の検証を自動的に行うことができる２重ジャンパ線検証方法およびシステムを提供することをその第１の目的とする。
【００２０】
また、本発明は上述した事情に鑑みてなされたもので、ＩＳＤＮ交換機巻き取り工事において、ＩＳＤＮ回線用通信機器を鳴動させることなく、そのＩＳＤＮ回線用通信機器に対する着信試験を実行できる２重ジャンパ線検証方法およびシステムを提供することをその第２の目的とする。
【００２１】
【課題を解決するための手段】
上述した目的を達成するための請求項１記載の発明によれば、一端が旧交換機に接続され、他端が被試験回線に接続された第１のジャンパ線と、一端が新交換機の所定端子に接続され、他端が前記被試験回線に接続された第２のジャンパ線とから構成された２重ジャンパ線の検証試験を行う２重ジャンパ線検証システムであって、検証試験用識別情報および非制限ディジタル情報要素を含むレイヤ３プロトコルのフォーマットを有し、前記加入者側被試験回線に対する通信路を設定するための呼設定信号を当該被試験回線を着信先として前記旧交換機に送信する送信手段と、前記新交換機の所定端子に接続された引き込み用回線を有し、前記旧交換機から前記被試験回線に対して発信され、前記第１および第２のジャンパ線を介して前記新交換機の所定端子へ送出されてきた前記呼設定信号を、前記引き込み用回線を介して引き込み、引き込んだ呼設定信号を検出する呼設定信号検出手段と、検出された呼設定信号に基づいて前記２重ジャンパ線の検証を行う検証手段と、を備えている。
【００２２】
請求項２記載の発明によれば、前記検証手段は、前記検出された呼設定信号に前記検証用識別情報が含まれているか否か判断する判断手段を備え、この判断手段の判断結果に基づいて前記２重ジャンパ線の検証を行う手段である。
【００２３】
請求項３記載の発明によれば、前記検証用識別情報は、自検証システム自体を前記呼設定信号の発信元として特定するための発信元識別情報である。
【００２４】
請求項４記載の発明によれば、前記検証用識別情報は、前記着信先を特定するための着信先電話番号と、この着信先電話番号に付加された前記検証試験用の任意のサブアドレスとを含む。
【００２５】
請求項５記載の発明によれば、前記加入者側被試験回線はＩＳＤＮ回線であり、当該加入者側被試験回線には、非制限ディジタル要素を含む呼設定信号の着信機能が不搭載の第１の通信機器および当該非制限ディジタル要素を含む呼設定信号の着信機能が搭載された第２の通信機器の内の少なくとも一方が接続されており、前記第１および第２の通信機器の内の少なくとも一方から返信されてきた、前記呼設定信号に対応する信号を受信し、受信した信号に基づいて前記加入者側被試験回線に対する着信の成否を判断する手段をさらに備えている。
【００２６】
請求項６記載の発明によれば、前記引き込み用回線を介して引き込んだ前記新交換機の所定端子のレイヤ１状態を監視する監視手段を備えている。
【００２７】
上述した目的を達成するための請求項７記載の発明によれば、一端が旧交換機に接続され、他端が被試験回線に接続された第１のジャンパ線と、一端が新交換機の所定端子に接続され、他端が前記被試験回線に接続された第２のジャンパ線とから構成された２重ジャンパ線の検証試験を行う２重ジャンパ線検証システムであって、検証試験用識別情報および非制限ディジタル情報要素を含むレイヤ３プロトコルのフォーマットを有し、前記被試験回線に対する通信路を設定するための呼設定信号を、当該被試験回線を着信先として前記旧交換機に送信するステップと、前記新交換機の所定端子に接続された引き込み用回線を用意するステップと、前記旧交換機から前記被試験回線に対して発信され、前記第１および第２のジャンパ線を介して前記新交換機の所定端子へ送出されてきた前記呼設定信号を、前記用意された引き込み用回線を介して引き込み、引き込んだ呼設定信号を検出するステップと、検出された呼設定信号に基づいて前記２重ジャンパ線の検証を行うステップと、を備えている。
【００２８】
請求項８記載の発明によれば、前記検証ステップは、前記検出された呼設定信号に前記検証用識別情報が含まれているか否か判断する判断ステップを備え、この判断ステップの判断結果に基づいて前記第１および第２のジャンパ線の検証を行うステップである。
【００２９】
請求項９記載の発明では、前記検証用識別情報は、前記呼設定信号の発信元を特定するための発信元識別情報である。
【００３０】
請求項１０記載の発明では、前記検証用識別情報は、前記着信先を特定するための着信先電話番号と、この着信先電話番号に付加された前記検証試験用の任意のサブアドレスとを含む。
【００３１】
請求項１１記載の発明では、前記加入者側被試験回線はＩＳＤＮ回線であり、当該加入者側被試験回線には、非制限ディジタル要素を含む呼設定信号の着信機能が不搭載の第１の通信機器および当該非制限ディジタル要素を含む呼設定信号の着信機能が搭載された第２の通信機器の内の少なくとも一方が接続されており、前記第１および第２の通信機器の内の少なくとも一方から返信されてきた、前記呼設定信号に対応する信号を受信し、受信した信号に基づいて前記加入者側被試験回線に対する着信の成否を判断するステップをさらに備えている。
【００３２】
請求項１２記載の発明では、前記引き込み用回線を介して引き込んだ前記新交換機の所定端子のレイヤ１状態を監視するステップを備えている。
【００３３】
【発明の実施形態】
本発明に係る２重ジャンパ線検証方法およびシステムの実施の形態について、添付図面を参照して説明する。
【００３４】
図１は、本発明の実施の形態に係る２重ジャンパ線検証システム１の概略構成、およびこの２重ジャンパ線検証システム１において検証される２重ジャンパ線が取り付けられた回線交換用設備（加入者宅側、交換機側）の概略構成をそれぞれ示す図である。
【００３５】
図１において、符号３は、加入者宅Ｈに設置されており、ＩＳＤＮ回線用のデジタル信号に対する送受信処理用（インタフェース処理用）のＤＳＵ（Ｄｉｇｉｔａｌ　Ｓｅｒｖｉｃｅ　Ｕｎｉｔ）であり、このＤＳＵ３には、ＩＳＤＮ回線用の通信機器であり、非制限ディジタル要素を含む呼設定信号の着信機能が不搭載の電話機４と、非制限ディジタル要素を含む呼設定信号の着信機能が搭載された通信機器（ルータ、パーソナルコンピュータ等；以下、非制限ディジタル対応通信機器と記載する）５とがそれぞれ接続されている。
【００３６】
また、ＤＳＵ３には、一対の加入者側ＩＳＤＮ回線Ｌ１、Ｌ２が接続されている。
【００３７】
そして、加入者側ＩＳＤＮ回線Ｌ１、Ｌ２を収容するための交換ビルＢには、その加入者側ＩＳＤＮ回線Ｌ１、Ｌ２が接続された端子１１ａ、１１ｂを有する加入者側ＭＤＦ端子盤１１が設置されている。
【００３８】
本実施形態では、加入者側ＭＤＦ端子盤１１の端子１１ａが加入者側ＩＳＤＮ回線Ｌ１用および端子１１ｂが加入者側ＩＳＤＮ回線Ｌ２用となっている。
【００３９】
この加入者側ＭＤＦ端子盤１１の端子１１ａ、１１ｂには、第１の一対のジャンパ線１２ａ、１２ｂの一端がそれぞれ接続されており、この第１のジャンパ線１２ａ、１２ｂの他端は、交換ビルＢに設置されたＭＤＦ端子盤１３の所定の一対の端子１３ａ（Ｌ１用）、１３ｂ（Ｌ２用）にそれぞれ接続されている。
【００４０】
このＭＤＦ端子盤１３の一対の所定端子１３ａ、１３ｂを含む複数の端子には、加入者側回線Ｌ１、Ｌ２を他の回線に接続するための交換機１５が通信回線１４を介して接続されている。なお、本実施形態において、ＭＤＦ端子盤１３および交換機１５は、交換機巻き取り工事における切替対象となる端子盤および交換機であり、旧ＭＤＦ端子盤１３および旧交換機１５と記載する。
【００４１】
この旧交換機１５には、その旧交換機１５の上位側である交換局１６が接続されており、加入者側回線Ｌ１、Ｌ２は、この上位交換局１６を介してＩＳＤＮ回線網（ＩＳＤＮネットワーク）に接続されている。
【００４２】
そして、加入者側ＭＤＦ端子盤１１の端子１１ａ、端子１１ｂには、上記第１の一対のジャンパ線１２ａ、１２ｂに加えて２重に設置された第２の一対のジャンパ線２０ａ、２０ｂの一端がそれぞれ接続されている。この第２のジャンパ線２０ａおよび２０ｂの他端は、交換ビルＢに設置されたＭＤＦ端子盤２５における加入者側回線Ｌ１用の所定端子２１ａおよび加入者側回線Ｌ２用の所定端子２１ｂにそれぞれ接続されている。
【００４３】
このＭＤＦ端子盤２５の一対の所定端子２１ａ、２１ｂを含む複数の端子には、加入者側回線Ｌ１、Ｌ２を他の回線に接続するための交換機２７が通信回線２６を介して接続されている。
【００４４】
なお、本実施形態において、ＭＤＦ端子盤２５および交換機２７は、交換機巻き取り工事において、新たに設置された端子盤および交換機であり、新ＭＤＦ端子盤２５および新交換機２７と記載する。
【００４５】
一方、本実施形態における２重ジャンパ線検証システム１は、図１に示すように、２重ジャンパ線検証処理用の機器である例えばデジタル回路や、ＣＰＵ、プログラムが搭載されたメモリ等を有するコンピュータにより具体化される検証器３０と、この検証器３０と旧ＭＤＦ端子盤１３の例えば空き端子とを通信可能に接続する試験用回線３１と、旧ＭＤＦ端子盤１３の空き端子と旧交換機１５とを通信可能に接続する試験用回線３２とを備えている。
【００４６】
また、２重ジャンパ線検証システム１は、新ＭＤＦ端子盤２５の所定端子２１ａ、２１ｂを含む各端子に接続されており、この各端子を流れる信号を新交換機２７側から切り替えて検証器３０側へ引き込むための引き込み用回線３３と、この引き込み用回線３３が接続されており、上記切替制御機能に加えて、新ＭＤＦ端子盤２５の各端子（ＩＳＤＮ回線のインタフェース規定点であるＵ点）をモニタする機能を有する接続切替器３４とを備えており、検証器３０は、この接続切替器３４に通信回線３５を介して接続されている。
【００４７】
図２は、検証器３０が有する機能を示すブロック図である。
【００４８】
すなわち、図２に示すように、検証器３０は、着信先を表す着ＩＤ（例えば、着信先電話番号）に対して、その電話番号を有する通信機器と自検証器３０との通信路を設定するための呼設定信号（着信ＳＥＴＵＰ信号）を送信するための信号送信回路４０を備えている。
【００４９】
この信号送信回路４０は、呼設定信号として、検証用試験識別情報である自検証器３０の発信元識別情報（発ＩＤ（例えば、発信元電話番号））および非制限ディジタル情報要素を含むレイヤ３プロトコルのフォーマットを有する信号を送信可能になっている。
【００５０】
また、検証器３０は、レイヤ３プロトコルのフォーマットを有する呼設定信号を受信するための信号受信回路４１と、呼設定信号に含まれている発ＩＤ等のレイヤ３プロトコルに係わる情報（以下、レイヤ３情報とする）を検出し、送信回路４０により送信した送信呼設定信号に含まれる発ＩＤ等のレイヤ３情報と送信呼設定信号に同期して検出された呼設定信号に含まれる発ＩＤ等のレイヤ３情報とが一致するか否か判定するためのレイヤ３情報検出・判定回路４２と、新ＭＤＦ端子盤２５の所定端子２１ａ、２１ｂを含む各端子のレイヤ１状態として、この各端子の電圧を測定するための下位レイヤ電圧測定回路４３とを備えている。
【００５１】
次に本実施形態の２重ジャンパ線検証システム１の全体動作について説明する。
【００５２】
最初に、加入者宅Ｈの被試験対象となる被試験端子１１ａ、１１ｂおよび被試験回線（加入者側ＩＳＤＮ回線Ｌ１、Ｌ２）を、２重ジャンパ線検証システム１の引き込み用回線３３および接続切替機３４により検証器３０側へ引き込む（図３；ステップＳ１）。
【００５３】
このとき、２重ジャンパ線検証システム１の検証器３０は、その下位レイヤ電圧測定回路４３に基づく機能として、新ＭＤＦ端子盤２５の所定端子２１ａ、２１ｂを含む各端子のレイヤ１状態として、各端子の電圧を測定しており、その電圧測定結果により、試験対象となる加入者が加入者側ＩＳＤＮ回線Ｌ１、Ｌ２を使用中であるか否か、各端子に対応するジャンパ線が断線しているか否か、および加入者側ＩＳＤＮ回線Ｌ１、Ｌ２に対応する第２のジャンパ線２０ａ、２０ｂが正常かレバースかを、例えば各状態｛使用中（話中）、断線、レバース｝毎に設定された電圧値に基づいてそれぞれ自動的に判別している（ステップＳ２）。
【００５４】
このステップＳ２の判別処理により、加入者側ＩＳＤＮ回線Ｌ１、Ｌ２が話中であるか、断線か、レバース使用中であると判断された場合には（ステップＳ３→ＮＯ）、検証器３０は、現在試験不能（話中）、あるいは２重ジャンパ線（第１のジャンパ線１２ａ、１２ｂ、第２のジャンパ線２０ａ、２０ｂ）を異常（接続不良）と判定する（ステップＳ４）。
【００５５】
一方、ステップＳ３の判定がＹＥＳ（加入者側ＩＳＤＮ回線Ｌ１、Ｌ２が話中状態、断線状態、レバース状態では無い）の場合、２重ジャンパ線検証システム１の検証器３０は、その信号送信回路４０に基づく処理として、自検証器３０の発ＩＤ、非制限ディジタル情報要素を含む呼設定信号を、被試験端子１１ａ、１１ｂおよび被試験回線（加入者側ＩＳＤＮ回線Ｌ１、Ｌ２）を着信先（着ＩＤ）として試験用回線３１を介して送信する（ステップＳ５）。
【００５６】
図４は、検証器３０から送信された呼設定制御信号（着信ＳＥＴＵＰ信号）のフォーマットを示す図である。
【００５７】
図４に示すように、着信ＳＥＴＵＰ信号は、その信号の制御内容を設定する部分である個別部と、この信号の識別情報（ラベル）に相当し、レイヤ３プロトコルの信号（メッセージ）に共通の共通部とから構成されている。
【００５８】
そして、着信ＳＥＴＵＰ信号の個別部には、通信使用チャネル識別用のチャネル識別子およびその信号の種類を示す伝達能力（非制限ディジタル）に加えて、上記発ＩＤおよび着ＩＤが含まれている。
【００５９】
このようにして検証器３０から試験用回線３１を介して送信された着信ＳＥＴＵＰ信号は、旧ＭＤＦ端子盤１３を介して旧交換機１５に送信される。
【００６０】
旧交換機１５は、着信ＳＥＴＵＰ信号を受信し、その着ＩＤが自局内の回線であるため、自局内接続により、着ＩＤに対応する加入者側ＩＳＤＮ回線Ｌ１、Ｌ２に対応する第１のジャンパ線１２ａ、１２ｂに対して旧ＭＤＦ端子盤１３を介して接続し、その加入者側ＩＳＤＮ回線Ｌ１、Ｌへ着信させる（ステップＳ６）。
【００６１】
この着信ＳＥＴＵＰ信号は、加入者側ＩＳＤＮ回線Ｌ１、Ｌ２およびＤＳＵ３を介して電話機４および非制限ディジタル対応通信機器５に送信される。
【００６２】
このとき、電話機４は、送信されてきた着信ＳＥＴＵＰ信号が非制限ディジタル情報要素を含む信号、すなわち、非制限ディジタル信号であるため、端末属性不一致であると判別し、切断理由♯８８に基づく切断信号（ＲＥＬＣＯＭＰ）を、ＤＳＵ３、加入者側ＩＳＤＮ回線Ｌ２等を介して検証器３０に返信する（ステップＳ７）。すなわち、電話機４においては、ベルを鳴動させることなく、切断信号を返信することができる。
【００６３】
また、非制限ディジタル対応通信機器５は、非制限ディジタル信号を着信できる機能を有しているため、着信して接続信号（ＣＯＮＮＥＣＴ）をＤＳＵ３、加入者側ＩＳＤＮ回線Ｌ１、Ｌ２を介して検証器３０に返信する（ステップＳ８）。
【００６４】
このとき、非制限ディジタル信号を着信できる非制限ディジタル対応通信機器５では、着信ＳＥＴＵＰ信号の着信のみでは、そのベルを受信鳴動させることがないため、この非制限ディジタル対応通信機器５においても、ベルを鳴動させることなく、接続信号を返信することができる。
【００６５】
検証器３０は、その信号受信回路４１に基づく処理として、返信されてきた信号（切断信号および接続信号）を受信することができ、この受信された切断信号および接続信号の発ＩＤと自検証器３０の発ＩＤとが同一の場合には、着信試験が成功したものと判別できる。
【００６６】
一方、切断信号および接続信号の発ＩＤと自検証器３０の発ＩＤとが異なる場合には、検証器３０は、着信試験が不良と判別する（ステップＳ９）。
【００６７】
一方、第１のジャンパ線１２ａ、１２ｂを介して送信されてきた着信ＳＥＴＵＰ信号は、加入者側ＭＤＦ端子盤１０の端子１１ａ、１１ｂに第２のジャンパ線２０ａ、２０ｂがそれぞれ接続されているため、その第２のジャンパ線２０ａ、２０ｂを介して新ＭＤＦ端子盤２５へ向かって流出し、その新ＭＤＦ端子盤２５における第２のジャンパ線２０ａ、２０ｂに対応する端子２１ａ、２１ｂに流れる。
【００６８】
このとき、接続切替器３４は、引き込み用回線３３を介した接続切替機能（引き込み機能）により、端子２１ａ、２１ｂを流れる着信ＳＥＴＵＰ信号を検証器３０側（接続切替器３４側）に引き込み、そのＵ点モニタ機能により引き込んだ着信ＳＥＴＵＰ信号を検出し、検出した着信ＳＥＴＵＰ信号を通信回線３５を介して検証器３０に送信する（ステップＳ１０）。
【００６９】
図５は、検証器３０から発信された着信ＳＥＴＵＰ信号の経路を太字の破線で示す。図５に示すように、着信ＳＥＴＵＰ信号は、２重ジャンパ線を構成する第１のジャンパ線１２ａ、１２ｂおよび第２のジャンパ線２０ａ、２０ｂの働きにより、ループとして検証器３０に戻ってくる。
【００７０】
このとき、検証器３０は、その信号受信回路４１に基づく処理として、上記ステップＳ１の着信ＳＥＴＵＰ信号の送信タイミングと同期する範囲内（送信タイミング送信時から通信の許容タイムラグを含む範囲内）において着信ＳＥＴＵＰ信号が送信されてきたか否か判断している（ステップＳ１１）。
【００７１】
このステップＳ１１の判断の結果ＮＯ、すなわち、着信ＳＥＴＵＰ信号の送信タイミングと同期して着信ＳＥＴＵＰ信号がリターンされてこない場合には、検証器３０は、２重ジャンパ線（第１のジャンパ線１２ａ、１２ｂ、第２のジャンパ線２０ａ、２０ｂ）を異常（接続不良）と判定する（ステップＳ１２）。
【００７２】
一方、ステップＳ１１の判断の結果ＹＥＳ、すなわち、着信ＳＥＴＵＰ信号の送信タイミングと同期して着信ＳＥＴＵＰ信号がリターンされてきた場合には、検証器３０は、その発ＩＤ検出・判定回路４２に基づく処理として、リターンされてきた着信ＳＥＴＵＰ信号に含まれる発ＩＤと自検証器３０の発ＩＤとが同一であるか否か判断する（ステップＳ１３）。
【００７３】
このステップＳ１３の判断の結果ＮＯ、すなわち、リターンされてきた着信ＳＥＴＵＰ信号に含まれる発ＩＤと自検証器３０の発ＩＤとが同一でない場合には、検証器３０は、ステップＳ９と同様に、２重ジャンパ線（第１のジャンパ線１２ａ、１２ｂ、第２のジャンパ線２０ａ、２０ｂ）を異常（接続不良）と自動的に判定する（ステップＳ１２参照）。
【００７４】
一方、ステップＳ１３の判断の結果ＹＥＳ、すなわち、リターンされてきた着信ＳＥＴＵＰ信号に含まれる発ＩＤと自検証器３０の発ＩＤとが同一である場合には、検証器３０は、２重ジャンパ線（第１のジャンパ線１２ａ、１２ｂ、第２のジャンパ線２０ａ、２０ｂ）を正常と自動的に判定する（ステップＳ１４）。
【００７５】
この結果、２重ジャンパ線検証システム２の検証器３０により、第１のジャンパ線１２ａ、１２ｂおよびこの第１のジャンパ線に加えて２重に設置された第２のジャンパ線２０ａ、２０ｂの検証（正常／異常）を自動的に判定することができる。
【００７６】
この２重ジャンパ線の自動検証処理の後、上位交換局１６に対する旧交換機１５および新交換機２７の切替を実行することにより、交換機巻き取り工事を完了することができる。
【００７７】
以上述べたように、本実施形態における２重ジャンパ線検証システム１によれば、ＩＳＤＮ回線用のＩＳＤＮ交換機巻き取り工事において、各加入者側回線Ｌ１、Ｌ２に接続された加入者側ＭＤＦ端子盤１１の各端子１１ａ、１１ｂに対応する旧交換機側ＭＤＦ端子盤１３の端子１３ａ、１３ｂと新交換機側ＭＤＦ端子盤２１の端子２１ａ、２１ｂとの間の導通チェックを各端子毎に個別に行うことなく、すなわち、検証作業者の人手による膨大な数の端子間の検証・確認作業を行うことなく、２重ジャンパ線（第１のジャンパ線１２ａ、１２ｂ、第２のジャンパ線２０ａ、２０ｂ）の接続が正常か否かを自動的に検証することができる。
【００７８】
さらに、本実施形態では、検証器３０の下位レイヤ電圧測定回路４３により、新ＭＤＦ端子盤２５の所定端子２１ａ、２１ｂを含む各端子のレイヤ１状態として、各端子の電圧を測定することができるため、その電圧測定結果により、試験対象となる加入者が加入者側ＩＳＤＮ回線Ｌ１、Ｌ２を使用中（話中）であるか否か、各端子に対応する２重ジャンパ線が断線しているか否か、および加入者側ＩＳＤＮ回線Ｌ１、Ｌ２に対応する第２のジャンパ線２０ａ、２０ｂが正常かレバースかを、それぞれ自動的に判別することができる。
【００７９】
したがって、検証作業者の確認（検証）ミスの発生の恐れを完全に回避できるとともに、検証時間を大幅に短縮することができる。
【００８０】
具体的に示せば、従来の導通ブザーチェッカを用いた２重ジャンパ線の検証方法では、１回線あたり平均１．６分程度かかることが分かっていた。
【００８１】
しかしながら、本実施形態の２重ジャンパ線検証システム１に基づく自動検証方法によれば、１回線あたりの検証時間は約５秒であり、約１／２０の大幅な短縮となる。
【００８２】
さらに、本実施形態では、着信ＳＥＴＵＰ信号として、非制限ディジタル信号を用いているため、加入者宅Ｈの通信機器である電話機４や非制限ディジタル対応通信機器５を鳴動させることなく着信試験を行うことができる。この結果、ＩＳＤＮ回線用通信機器（４、５等）を無鳴動で着信試験を実行できる２重ジャンパ線検証方法／システムを求める要望に応えることができる。
【００８３】
したがって、２重ジャンパ線検証方法／システムの利用者の満足度を向上させることができる。
【００８４】
なお、本実施形態では、リターンされてきた着信ＳＥＴＵＰ信号に含まれる発ＩＤと自検証器３０の発ＩＤとが同一であるか否かを判断することにより、２重ジャンパ線の接続状態を検証しているが、本発明はこれに限定されるものではない。
【００８５】
例えば、呼設定信号における検証用試験識別情報（レイヤ３情報）として、着信先を特定する着信先電話番号（例えば、０４３−２１１−４３○３）に加えて、図６に示すように、任意のサブアドレス（例えば、＊４３○３４３○３４３○３等）を呼設定信号の着ＩＤとして含めることにより、ステップＳ１２の処理において、この着信先電話番号およびサブアドレスが同一か否かを検証することにより、２重ジャンパ線の接続状態を自動検証することができる。
【００８６】
この変形例によれば、上述した効果に加えて、発ＩＤを通知して呼設定信号を発信した場合、その呼設定信号を着信した加入者側の通信機器である電話機４において、加入者が例えば、他の業者からの呼と誤って認定する可能性を回避することができる。
【００８７】
なお、検証用試験識別情報としては、発ＩＤ、着ＩＤに限定されるものではなく、レイヤ３プロトコルに基づき、発信元｛検証器３０（検証システム１）｝を識別できる情報であれば、どのような情報も含まれる。
【００８８】
【発明の効果】
以上述べたように、本発明に係わる２重ジャンパ線検証方法およびシステムによれば、検証作業者の人手による膨大な数の端子間の検証・確認作業を行うことなく、２重ジャンパ線、すなわち、旧交換機側の既設の第１のジャンパ線、およびこの第１のジャンパ線に加えて２重に設置された第２のジャンパ線の接続状態が正常か否かを自動的に検証することができる。
【００８９】
したがって、検証作業者の確認ミスの発生の恐れを完全に回避できるとともに、検証時間を大幅に短縮することができるため、ＩＳＤＮ交換機巻き取り工事自体に必要な時間も大幅に短縮させることができる。
【００９０】
また、本発明に係わる２重ジャンパ線検証方法およびシステムによれば、呼設定信号として、非制限ディジタル情報要素を含むレイヤ３プロトコルのフォーマットを有する信号（非制限ディジタル信号）を用いているため、加入者側の通信機器を鳴動させることなく着信試験を行うことができる。この結果、本発明に係わる２重ジャンパ線検証方法およびシステムを利用する利用者の満足度を向上させることができる。
【図面の簡単な説明】
【図１】本発明の実施の形態に係わる交換機システムおよび２重ジャンパ線検証システムの全体構成を示す図。
【図２】図１に示す検証器の機能構成を概略的に示すブロック図。
【図３】図１に示す検証器、接続切替器、電話機およびパソコンの処理の一例を示す概略フローチャート。
【図４】本実施形態に係わる呼設定信号（着信ＳＥＴＵＰ信号）のフォーマットの一例を示す図。
【図５】本実施形態における呼設定信号の流れを概略的に示す図。
【図６】本実施形態の変形例に係わる呼設定信号（着信ＳＥＴＵＰ信号）のフォーマットの一例を示す図。
【図７】従来のＩＳＤＮ用２重ジャンパ線検証方法を説明するための図。
【図８】２重ジャンパ線のレバース接続を説明するための図。
【符号の説明】
１　２重ジャンパ線検証システム
３　ＤＳＵ
４　電話機
５　非制限ディジタル対応通信機器
１１　加入者側ＭＤＦ端子盤
１１ａ、１１ｂ　端子
１２ａ、１２ｂ　第１のジャンパ線
１３　旧ＭＤＦ端子盤
１４　通信回線
１５　旧交換機
１６　上位交換局
２０ａ、２０ｂ　第２のジャンパ線
２１ａ、２１ｂ　端子
２５　新ＭＤＦ端子盤
２６　通信回線
２７　新交換機
３０　検証器
３１、３２　試験用回線
３３　引き込み用回線
３４　接続切替器
３５　通信回線
４０　信号送信回路
４１　信号受信回路
４２　レイヤ３情報検出・判定回路
４３　下位レイヤ電圧測定回路
【図１】
2004080115.tif 000003
【図２】
2004080115.tif 000004
【図３】
2004080115.tif 000005
【図４】
2004080115.tif 000006
【図５】
2004080115.tif 000007
【図６】
2004080115.tif 000008
【図７】
2004080115.tif 000009
【図８】
2004080115.tif 000010